(57)【要約】  装置は、第１の信号受信モジュールと、第２の信号受信モジュールと、信号送信モジュールとを有する。前記第１の信号受信モジュールは、第１の信号ポイントから第１のＲＦ信号を受信するために、第１の信号ポイントと第３の信号ポイントとの間に結合される。前記第１の信号受信モジュールは、前記第３の信号ポイントで第１のダウンコンバートされた信号を提供するために、前記第１のＲＦ信号をダウンコンバートする。前記第２の信号受信モジュールは、第２のＲＦ信号を受信するために、第２の信号ポイントと前記第３の信号ポイントとの間に結合される。前記第２の信号受信モジュールは、前記第３の信号ポイントで第２のダウンコンバートされた信号を提供するために、前記第２のＲＦ信号をダウンコンバートする。前記信号送信モジュールは、前記第３の信号ポイントから第３のＲＦ信号を受信するために、前記第１と第２の信号ポイントと前記第３の信号ポイントとの間に結合される。前記信号送信モジュールは、選択信号に応じて前記第１と第２の信号ポイントのうちの１つでアップコンバートされた信号を選択的に提供するために、前記第３のＲＦ信号をアップコンバートする。
2005514835.tif 000002
【特許請求の範囲】
【請求項１】
第１の信号ポイントと、
第２の信号ポイントと、
第３の信号ポイントと、
第１のＲＦ信号を受信するために、前記第１の信号ポイントと前記第３の信号ポイントとの間に結合された第１の信号受信手段であって、前記第３の信号ポイントで第１のダウンコンバートされた信号を提供するために、前記第１のＲＦ信号をダウンコンバートする第１の信号受信手段と、
第２のＲＦ信号を受信するために、前記第２の信号ポイントと前記第３の信号ポイントとの間に結合された第２の信号受信手段であって、前記第３の信号ポイントで第２のダウンコンバートされた信号を提供するために、前記第２のＲＦ信号をダウンコンバートする第２の信号受信手段と、
前記第３の信号ポイントから第３のＲＦ信号を受信するために、前記第１と第２の信号ポイントと前記第３の信号ポイントとの間に結合された信号送信手段であって、選択信号に応じて前記第１と第２の信号ポイントのうちの１つでアップコンバートされた信号を選択的に提供するために、前記第３のＲＦ信号をアップコンバートする信号送信手段と
を有する装置。
【請求項２】
請求項１に記載の装置であって、
前記第１のダウンコンバートされた信号と、前記第２のダウンコンバートされた信号と、前記第３のＲＦ信号とが、前記第３の信号ポイントで同時に存在する装置。
【請求項３】
請求項１に記載の装置であって、
室内ユニットからの制御信号に応じて、前記選択信号を生成する制御手段を更に有する装置。
【請求項４】
請求項２に記載の装置であって、
室内ユニットからの制御信号に応じて、前記選択信号を生成する制御手段を更に有する装置。
【請求項５】
請求項４に記載の装置であって、
前記制御信号が、前記第１のダウンコンバートされた信号と、前記第２のダウンコンバートされた信号と、前記第３のＲＦ信号と同時に、前記第３の信号ポイントに存在している装置。
【請求項６】
請求項５に記載の装置であって、
ＧＰＳ信号が、前記制御信号と、前記第１のダウンコンバートされた信号と、前記第２のダウンコンバートされた信号と、前記第３のＲＦ信号と同時に、前記第３の信号ポイントに存在している装置。
【請求項７】
請求項１に記載の装置であって、
前記第１のＲＦ信号が、テレビ信号とインターネットプロトコル信号とのうちの１つを有する装置。
【請求項８】
請求項１に記載の装置であって、
前記第２のＲＦ信号が、テレビ信号とインターネットプロトコル信号とのうちの１つを有する装置。
【請求項９】
請求項１に記載の装置であって、
前記第１と第２のＲＦ信号が、それぞれの衛星から送信された信号である装置。
【請求項１０】
請求項１に記載の装置であって、
前記第１と第２のＲＦ信号が、それぞれの地上の信号配信源から送信される装置。
【請求項１１】
第１の信号ポイントと、
第２の信号ポイントと、
第３の信号ポイントと、
前記第１の信号ポイントから第１のＲＦ信号を受信するために、前記第１の信号ポイントと前記第３の信号ポイントとの間に結合された第１の信号受信モジュールであって、前記第３の信号ポイントで第１のダウンコンバートされた信号を提供するために、前記第１のＲＦ信号をダウンコンバートする第１の信号受信モジュールと、
第２のＲＦ信号を受信するために、前記第２の信号ポイントと前記第３の信号ポイントとの間に結合された第２の信号受信モジュールであって、前記第３の信号ポイントで第２のダウンコンバートされた信号を提供するために、前記第２のＲＦ信号をダウンコンバートする第２の信号受信モジュールと、
前記第３の信号ポイントから第３のＲＦ信号を受信するために、前記第１と第２の信号ポイントと前記第３の信号ポイントとの間に結合された信号送信モジュールであって、選択信号に応じて前記第１と第２の信号ポイントのうちの１つでアップコンバートされた信号を選択的に提供するために、前記第３のＲＦ信号をアップコンバートする信号送信モジュールと
を有する装置。
【請求項１２】
請求項１１に記載の装置であって、
前記第１のダウンコンバートされた信号と、前記第２のダウンコンバートされた信号と、前記第３のＲＦ信号とが、前記第３の信号ポイントで同時に存在する装置。
【請求項１３】
請求項１１に記載の装置であって、
室内ユニットからの制御信号に応じて、前記選択信号を生成するアンテナコントローラを更に有する装置。
【請求項１４】
請求項１２に記載の装置であって、
室内ユニットからの制御信号に応じて、前記選択信号を生成するアンテナコントローラを更に有する装置。
【請求項１５】
請求項１４に記載の装置であって、
前記制御信号が、前記第１のダウンコンバートされた信号と、前記第２のダウンコンバートされた信号と、前記第３のＲＦ信号と同時に、前記第３の信号ポイントに存在している装置。
【請求項１６】
請求項１５に記載の装置であって、
ＧＰＳ信号が、前記制御信号と、前記第１のダウンコンバートされた信号と、前記第２のダウンコンバートされた信号と、前記第３のＲＦ信号と同時に、前記第３の信号ポイントに存在している装置。
【請求項１７】
請求項１１に記載の装置であって、
前記第１のＲＦ信号が、テレビ信号とインターネットプロトコル信号とのうちの１つを有する装置。
【請求項１８】
請求項１１に記載の装置であって、
前記第２のＲＦ信号が、テレビ信号とインターネットプロトコル信号とのうちの１つを有する装置。
【請求項１９】
請求項１１に記載の装置であって、
前記第１と第２のＲＦ信号が、それぞれの衛星から送信された信号である装置。
【請求項２０】
請求項１１に記載の装置であって、
前記第１と第２のＲＦ信号が、それぞれの地上の信号配信源から送信される装置。
【請求項２１】
信号を処理するための方法であって、
第１の信号ポイントで提供された第１のＲＦ信号を受信するステップと、
第３の信号ポイントで第１のダウンコンバートされた信号を提供するために、前記第１のＲＦ信号をダウンコンバートするステップと、
第２の信号ポイントで提供された第２のＲＦ信号を受信するステップと、
前記第３の信号ポイントで第２のダウンコンバートされた信号を提供するために、前記第２のＲＦ信号をダウンコンバートするステップと、
前記第３の信号ポイントで提供された第３のＲＦ信号を受信するステップと、
選択信号に応じて前記第１と第２の信号ポイントのうちの１つでアップコンバートされた信号を選択的に提供するために、前記第３のＲＦ信号をアップコンバートするステップと
を有する方法。
【請求項２２】
請求項２１に記載の方法であって、
前記第１のダウンコンバートされた信号と、前記第２のダウンコンバートされた信号と、前記第３のＲＦ信号とが、前記第３の信号ポイントで同時に存在する方法。
【請求項２３】
請求項２１に記載の方法であって、
室内ユニットからの制御信号に応じて、前記選択信号を生成するステップを更に有する方法。
【請求項２４】
請求項２２に記載の方法であって、
室内ユニットからの制御信号に応じて、前記選択信号を生成するステップを更に有する方法。
【請求項２５】
請求項２４に記載の方法であって、
前記制御信号が、前記第１のダウンコンバートされた信号と、前記第２のダウンコンバートされた信号と、前記第３のＲＦ信号と同時に、前記第３の信号ポイントに存在している方法。
【請求項２６】
請求項２５に記載の方法であって、
ＧＰＳ信号が、前記制御信号と、前記第１のダウンコンバートされた信号と、前記第２のダウンコンバートされた信号と、前記第３のＲＦ信号と同時に、前記第３の信号ポイントに存在している方法。
【請求項２７】
請求項２１に記載の方法であって、
前記第１のＲＦ信号が、テレビ信号とインターネットプロトコル信号とのうちの１つを有する方法。
【請求項２８】
請求項２１に記載の方法であって、
前記第２のＲＦ信号が、テレビ信号とインターネットプロトコル信号とのうちの１つを有する方法。
【請求項２９】
請求項２１に記載の方法であって、
前記第１と第２のＲＦ信号が、それぞれの衛星から送信された信号である方法。
【請求項３０】
請求項２１に記載の方法であって、
前記第１と第２のＲＦ信号が、それぞれの地上の信号配信源から送信される方法。
【発明の詳細な説明】
【技術分野】
【０００１】
本発明は、特に双方向衛星テレビシステムでの使用に適する双方向無線周波数（ＲＦ）通信装置に関するものである。
【０００２】
テレビ信号を配信する衛星の使用は放送業界で周知であり、テレビ配信システムを改革するのに役立ってきた。最初の世代の衛星テレビシステムは、衛星が地球を周り、地球の固定点に関して制止したように見えることを意味する、いわゆる“静止”軌道で地球を周る通信衛星を使用している。そのような静止衛星は、一般的に単一の衛星が全体の大陸又は大陸の大部分にテレビ信号を配信することを可能にする高い高度を維持する。
【背景技術】
【０００３】
次の世代の衛星テレビシステムは、静止衛星より低い軌道を占める地球低軌道（“ＬＥＯ”）衛星の使用を提案する。特に、ＬＥＯ衛星と地球の受信位置との間の往復信号伝搬時間が静止衛星のものより実質的に小さいため、ＬＥＯ衛星システムは、双方向テレビサービスや、インターネットサービス（例えば電子メール、ウェブサーフィン等）や、それと同様のもののような多様な双方向サービスを導く。しかし、より低い起動のため、静止衛星システムの場合に単一の衛星のみで十分にカバーされ得る特定の地理的領域に信号を配信するためには、複数のＬＥＯ衛星が必要である。従って、複数のＬＥＯ衛星の使用は、ユーザのシステムが複数の移動衛星を追跡し、全く中断することなくそのような衛星から信号を受信可能であることを必要とする。従って、ユーザのシステムは、それぞれ複数のＬＥＯ衛星に対応する複数の信号受信モジュールを有するべきであり、前記受信モジュールが協調した方法で動作することを必要とする。更に、双方向サービスに対応するために、ユーザのシステムが衛星に信号を送信する手段を有することもまた望ましい。本発明は、前記及び他の問題に対処する。
【発明の開示】
【課題を解決するための手段】
【０００４】
本発明の態様によると、装置は、第１の信号受信モジュールと、第２の信号受信モジュールと、信号送信モジュールとを有する。前記第１の信号受信モジュールは、第１の信号ポイントから第１のＲＦ信号を受信するために、第１の信号ポイントと第３の信号ポイントとの間に結合される。前記第１の信号受信モジュールは、前記第３の信号ポイントで第１のダウンコンバートされた信号を提供するために、前記第１のＲＦ信号をダウンコンバートする。前記第２の信号受信モジュールは、第２のＲＦ信号を受信するために、第２の信号ポイントと前記第３の信号ポイントとの間に結合される。前記第２の信号受信モジュールは、前記第３の信号ポイントで第２のダウンコンバートされた信号を提供するために、前記第２のＲＦ信号をダウンコンバートする。前記信号送信モジュールは、前記第３の信号ポイントから第３のＲＦ信号を受信するために、前記第１と第２の信号ポイントと前記第３の信号ポイントとの間に結合される。前記信号送信モジュールは、選択信号に応じて前記第１と第２の信号ポイントのうちの１つでアップコンバートされた信号を選択的に提供するために、前記第３のＲＦ信号をアップコンバートする。
【０００５】
本発明の他の態様によると、第１の信号ポイントで提供された第１のＲＦ信号を受信するステップと；第３の信号ポイントで第１のダウンコンバートされた信号を提供するために、前記第１のＲＦ信号をダウンコンバートするステップと；第２の信号ポイントで提供された第２のＲＦ信号を受信するステップと；前記第３の信号ポイントで第２のダウンコンバートされた信号を提供するために、前記第２のＲＦ信号をダウンコンバートするステップと；前記第３の信号ポイントで提供された第３のＲＦ信号を受信するステップと；選択信号に応じて前記第１と第２の信号ポイントのうちの１つでアップコンバートされた信号を選択的に提供するために、前記第３のＲＦ信号をアップコンバートするステップとを有する。
【発明を実施するための最良の形態】
【０００６】
ここで示された例示は、本発明の好ましい実施例を示したものであり、そのような例示は、いかなる方法によっても本発明の範囲を限定するものとして解釈されるべきではない。
【０００７】
この出願は、第１の信号受信機のような第１の信号受信手段と；第２の信号受信機のような第２の信号受信手段と；信号送信機のような信号送信手段とを有する装置を開示する。第１の信号受信モジュールは、第１の信号ポイントから第１のマイクロ波テレビ信号のような第１のＲＦ信号を受信するために、第１の信号端末のような第１の信号ポイントと、第３の信号端末のような第３の信号ポイントとの間に結合される。第１の信号受信手段は、第３の信号ポイントでＬ帯域の第１のＩＦ信号のようなより低い周波数の第１のダウンコンバートされた信号を提供するために、第１のＲＦ信号をダウンコンバートする。第２の信号受信機のような第２の信号受信手段は、第２のマイクロ波テレビ信号のような第２のＲＦ信号を受信するために、第２の信号端末のような第２の信号ポイントと、第３の信号ポイントとの間に結合される。第２の信号受信手段は、第３の信号ポイントでＬ帯域の第２のＩＦ信号のようなより低い周波数の第２のダウンコンバートされた信号を提供するために、第２のＲＦ信号をダウンコンバートする。信号送信手段は、室内ユニットから供給されたＲＦ信号のような第３のＲＦ信号を第３の信号ポイントから受信するために、第１と第２の信号ポイントと、第３の信号ポイントとの間に結合される。信号送信手段は、選択信号に応じて第１と第２の信号ポイントのうちの１つでＫａ帯域のマイクロ波信号のようなより高い周波数のアップコンバートされた信号を選択的に提供するために、第３のＲＦ信号をアップコンバートする。
【０００８】
前記装置は、同軸ケーブルのような伝送媒体を介して双方向テレビシステムの室内ユニットに接続される室外ユニットに含まれることがある。前記装置は、室内ユニットから生成された制御信号に応じて選択信号を生成するアンテナ制御モジュールのようなアンテナ制御手段を更に有することがある。ＧＰＳ信号は、それぞれ第１と第２のアンテナの方向を制御するために利用されることがあり、前記アンテナがそれぞれ第１と第２のＲＦ信号を提供する。そのようなＧＰＳ信号は、第１のダウンコンバートされた信号と、第２のダウンコンバートされた信号と、第３のＲＦ信号と、制御信号とのうちの少なくとも１つを含む他の信号と同時に、同じ伝送媒体を介して室内ユニットからアンテナ制御手段に伝送されることがある。前述の装置によって実行される方法もまた、ここで開示される。
【０００９】
次に図面、特に図１を参照すると、本発明の原理に従って構成された例示的な装置１００のブロック図が示されている。図１の装置１００は、ユーザのテレビ装置の構成要素を表すことがあり、双方向サービスを有する衛星テレビシステム、又はマルチポイント・マルチチャネル配信システム（ｍｕｌｔｉ−ｐｏｉｎｔ，  ｍｕｌｔｉ−ｃｈａｎｎｅｌ  ｄｉｓｔｒｉｂｕｔｉｏｎ  ｓｙｓｔｅｍ）（ＭＭＤＳ）のような双方向サービスを提供する他の信号配信システムでの使用に適している。特に、装置１００は、２つのアンテナ（図１に明白に示されていない）と、信号チューニングや復調や変調やアプリケーション処理等のような機能を実行する他の装置３００（図３に示されている）との間の通信インタフェースを提供するための室外ユニットとして利用されることがある。
【００１０】
図１の装置１００は、第１の信号受信機１０のような第１の信号受信手段と、第２の信号受信機２０のような第２の信号受信手段と、信号送信機３０のような信号送信手段と、信号送信／受信（Ｔｘ／Ｒｘ）ダイプレクサ４０及び５０と、スイッチ６０と、基準振動生成ユニット７０と、アンテナ制御電子装置８０と、ダイプレクサ／コンバイナ９０と、電力供給モジュール９５とを有する。
【００１１】
第１の信号受信機１０は、低雑音増幅器（ＬＮＡ）１１と、周波数ダウンコンバータ１２と、中間周波数（ＩＦ）僧服器１３とを有する。同様に、第２の信号受信機２０は、ＬＮＡ２１と、周波数ダウンコンバータ２２と、ＩＦ増幅器２３とを有する。信号送信機３０は、入力増幅器３１と周波数アップコンバータ３２と、半導体出力増幅器（ＳＳＰＡ）３３とを有する。
【００１２】
動作中に、第１と第２の信号受信機１０と２０は、図１でそれぞれアンテナ＃１と＃２として表された第１と第２のアンテナから提供された信号を同時に受信して処理する。受信信号は、衛星及び／又は他の信号配信源から提供されることがあり、例えばテレビ信号、インターネットプロトコル（ＩＰ）信号及び／又は他の形式の信号であることがある。
【００１３】
第１のアンテナから提供された信号は、信号Ｔｘ／Ｒｘダイプレクサによって受信され、第１の信号受信機１０のＬＮＡ１１に入力される。ＬＮＡ１１は、受信信号を増幅し、周波数ダウンコンバートのために周波数ダウンコンバータ１２に増幅された信号を提供する。例示的な実施例によると、周波数ダウンコンバータ１２は、増幅された信号をマイクロ波ＲＦ信号（例えばＫａ又はＫｕ周波数帯域）からＬ帯域（９００ＭＨｚ−１．４ＧＨｚ）のＩＦ信号に変換するように動作する。周波数ダウンコンバータ１２からのダウンコンバートされたＩＦ信号は、信号増幅動作を実行するＩＦ増幅器１３に入力される。ＩＦ増幅器１３からの増幅された信号出力は、同軸ケーブルや光ファイバケーブルや他の通信リンクのような伝送媒体に信号を出力するダイプレクサ／コンバイナ９０に提供される。伝送媒体への信号出力は、以下に説明される他の装置３００（図３に示されている）に提供される。
【００１４】
同様に、第２のアンテナから提供された信号は、信号Ｔｘ／Ｒｘダイプレクサ５０によって受信され、第２の信号受信機２０のＬＮＡ２１に入力される。ＬＮＡ２１は、受信信号を増幅し、周波数ダウンコンバートのために周波数ダウンコンバータ２２に増幅された信号を提供する。例示的な実施例によると、周波数ダウンコンバータ２２は、増幅された信号をマイクロ波ＲＦ信号（例えばＫａ又はＫｕ周波数帯域）からＬ帯域（９００ＭＨｚ−１．４ＧＨｚ）のＩＦ信号に変換するように動作する。周波数ダウンコンバータ２２からのダウンコンバートされたＩＦ信号は、信号増幅動作を実行するＩＦ増幅器２３に入力される。ＩＦ増幅器２３からの増幅された信号出力は、図３の装置１００への入力のための伝送媒体に信号を出力するダイプレクサ／コンバイナ９０に提供される。以下に説明される通り、第１と第２の信号受信機１０と２０は、２つの異なる周波数帯域に信号をダウンコンバートし、それによってそれぞれの出力信号が伝送媒体の周波数にずらして配列されることを可能にする。このように、伝送媒体は、第１と第２の信号受信機１０と２０の双方から図３の装置３００に信号を同時に送信することができる。
【００１５】
信号送信機３０は、信号送信機能を第１の装置１００に提供し、特に双方向テレビサービスやインターネットサービスやそれと同様のもののような双方向サービスに対応する。動作中に、図３の装置３００からの信号は、伝送媒体を介した送信のための信号送信機３０とダイプレクサ／コンバイナ９０とに提供される。前記信号は、例えば双方向テレビ信号、インターネットプロトコル（ＩＰ）信号及び／又は他の形式の信号であることがある。入力増幅器３１は、ダイプレクサ／コンバイナ９０から提供された信号を受信し、そこで増幅動作を実行する。入力増幅器３１からの増幅された信号は、周波数アップコンバート（例えば約３０ＧＨｚであるＫａ帯域のアップリンクの周波数まで）のために、周波数アップコンバータ３２に提供される。周波数アップコンバータ３２からの周波数変換された信号は、増幅のためにＳＳＰＡ３３に入力される。
【００１６】
図１に示される通り、アンテナ制御８０は、ＳＳＰＡ３３に出力制御信号を提供し、その信号増幅動作を制御する。特に、出力制御信号は、ＳＳＰＡ３３が周波数アップコンバータ３２から受信された信号の出力を増幅する程度を制御する。ＳＳＰＡ３３からの増幅された信号は、スイッチ６０に提供され、それは信号Ｔｘ／Ｒｘダイプレクサ４０又は５０のいずれかに増幅された信号を選択的に出力する。このように、信号送信機３０からの信号出力は、送信のために、第１のアンテナ（すなわちアンテナ＃１）又は第２のアンテナ（すなわちアンテナ＃２）のいずれかに提供される。アンテナ制御８０は、同じアンテナが特定の時点で同時に送信と受信の双方に使用されるような方法で、制御スイッチ６０への選択信号を生成する。どのアンテナが送信に使用されるかについての判断は、それぞれ第１と第２のＲＦ信号を介して第１と第２の衛星から提供されたものを含む情報に基づいて、図３の装置３００で生成された制御信号に応じて、アンテナ制御８０により行われる。特に、制御信号は、例えば１つ以上の衛星の相対位置に関する情報を有する。更に、アンテナ制御８０は、衛星通信パス（すなわち図１のアンテナ＃１へ／アンテナ＃２へ）を通じて、第１及び／又は第２のアンテナの方向の位置のような、アンテナの動作状態を表す第１及び／又は第２のアンテナからの情報を受信する。アンテナ制御８０はまた、前述の信号パスを通じて第１と第２のアンテナに信号を送信し、例えばアンテナの方向の位置を制御することができる。信号送信機３０からの出力信号はＬＥＯ衛星のような衛星に送信されることがあるが、そのような信号は、ＭＭＤＳ局又は他の宛先のようなその他の宛先に送信されることがあることも考えられる。
【００１７】
また、図１において、基準振動生成ユニット７０は、ダイプレクサ／コンバイナ９０を介して図３の装置３００から基準周波数入力を受信する。基準周波数入力は、基準信号を提供し、全ての周波数変換を同期化し、ドップラー偏移と熱変流と他の周波数エラーのための調整修正を提供する。基準振動生成ユニット７０は、図３の装置３００から提供された基準周波数情報を使用し、周波数ダウンコンバータ１２と２２及び周波数アップコンバータ３２によって実行される周波数変換を制御する。装置１００は、好ましくは異なる電圧レベルを生成する直流直流（ＤＣ−ＤＣ）変換器を有する電力供給モジュール９５から電力を受け取る。
【００１８】
図２は、本発明の原理による例示的な周波数スペクトル構成２００を示したものである。特に、図２の周波数スペクトル構成２００は、信号が図１のダイプレクサ／コンバイナ９０を通過する際のＤＣ出力レベルに対する信号の周波数帯域を示したものである。第１と第２の信号受信機１０と２０からダイプレクサ／コンバイナ９０に提供された信号は、図２にそれぞれダウンリンク＃１チャネル帯域とダウンリンク＃２チャネル帯域として表された異なる周波数帯域に割り当てられる。すなわち、第１の信号受信機１０からの信号はダウンリンク＃１の周波数帯域内であり、第２の信号受信機２０からの信号はダウンリンク＃２の周波数帯域内である。更に、ダイプレクサ／コンバイナ９０から信号送信機３０に提供された信号は、図２にアップリンクチャネル帯域として表された更に他の周波数帯域に割り当てられる。例示的な実施例によると、２つのダウンリンクチャネル帯域とアップリンクチャネル帯域とは、それぞれ５０ＭＨｚの待機に割り当てられる。図２に示される通り、アップリンクチャネル帯域内の送信チャネルは、加入者毎に５ＭＨｚの例示的な帯域を有しており、加入者間の干渉を回避する周波数の事前修正をしてアップリンクチャネル帯域内に配置される。当然ながら、本発明の原理に従って他の帯域も利用されることがある。所定の加入者に割り当てられた特定の送信チャネルは、１つ以上の衛星又は他の信号配信源から受信された信号によって適応可能なように制御されることがある。
【００１９】
図２の周波数スペクトル構成２００はまた、１つ以上の衛星の相対位置や、第１と第２のアンテナの動作状況や、出力制御データ（ＳＳＰＡ３３用）等のような情報を表す制御信号を提供するための制御チャネルを有する。例示的な実施例によると、制御信号はデジタル変調された信号（例えば周波数偏移符号化（ＦＳＫ）変調又は四相位相偏移符号化（ＱＰＳＫ）変調のようなデジタル周波数変調を使用したもの）である。周波数スペクトル構成２００内の制御チャネルの配置は、設計上の選択の問題である。例えば、制御チャネルは、図２に示されるようにアップリンクチャネル帯域より下の周波数帯域を割り当てられることがあり、又はその他にダウンリンク＃２チャネル帯域より上のもののような異なる周波数帯域を割り当てられることがある。
【００２０】
また、図２において、周波数スペクトル構成２００は、それぞれの位置を表す複数のＧＰＳ衛星からのＧＰＳ信号を運ぶ汎地球測位システム（ＧＰＳ）基準周波数を有する。ＧＰＳ信号は衛星の位置を特定する制御信号を生成するために使用され、それによって衛星の追跡が実行されることを可能にする。図２に示される通り、ＧＰＳ基準周波数は、１５７５ＭＨｚの例示的な周波数を割り当てられる。図１の基準振動生成ユニット７０に提供される基準周波数情報はまた、図２の周波数スペクトル構成２００内に含まれる。
【００２１】
図２の周波数スペクトル構成２００の使用は、ずらして配列された周波数の割り当てにより、複数の信号が図１の装置１００と図３の装置３００との間の伝送媒体上で同時に送信されることが可能になるため、特に有利である。特に、図１の第１と第２の信号受信機１０と２０は、図３の装置３００に受信信号を同時に送信することができ、装置３００は、図１の信号送信機３０に送信用の信号を同時に送信する。実際に、第１と第２の信号受信機１０と２０は、特にトランザクション期間中にダウンコンバートされた信号を同時に送信し、装置１００は、中断することなく衛星から信号を受信するために２つの衛星を切り替える。更に、制御信号とＧＰＳ信号と基準周波数信号とはまた、図１の装置１００と図３の装置３００との間で結合した同じ伝送媒体上で送信されることがある。
【００２２】
図３を参照すると、本発明の原理に従って構成された例示的な装置３００のブロック図が示されている。図３の装置３００は、ユーザのテレビ装置の他の構成要素を表し、双方向サービスを有する衛星テレビシステム、又はＭＭＤＳのような双方向サービスを提供する他の信号配信システムでの使用に適している。特に、装置３００は、伝送媒体を介して図１の装置１００に接続される室内ユニットとして利用されることがある。
【００２３】
図３の装置３００は、伝送媒体を介して図１の装置１００と通信する複数の処理チャネルを有する。図３において、Ｒｘ／Ｔｘコンバイナ１１０は、処理チャネルと伝送媒体との間で結合される。第１の処理チャネルは、図１の第１の信号受信機１０から提供された信号を処理する。第１の処理チャネルは、図３でチューナー＃１として表された第１のチューナー１２０と、復調器１３０と、転送エラー修正ユニット１４０と、ネットワーク／伝送処理ユニット１５０とを有する。第２の処理チャネルは、図１の第２の信号受信機２０から提供された信号を処理する。第２の処理チャネルは、図３でチューナー＃２として表された第２のチューナー１６０と、復調器１７０と、転送エラー修正ユニット１８０と、ネットワーク／伝送処理ユニット１９０とを有する。図３の第１と第２の処理チャネルで処理された信号は、処理動作を実行し、ディスプレイや入力端末等のような入出力（Ｉ／Ｏ）手段と信号を交換するアプリケーション処理ユニット２００に提供される。
【００２４】
また、図３において、第３の処理チャネルは、アプリケーション処理ユニット２００からの処理された信号を受信し、受信された信号で更なる処理動作を実行し、送信のために結果の信号を図１の信号送信機３０に提供する。第３の処理チャネルは、ネットワーク／伝送処理ユニット２１０と、パケット形成ユニット２２０と、変調器２３０と、周波数アップコンバータ２４０とを有する。第４の処理チャネルは、アプリケーション処理ユニット２００からの処理された信号を受信し、受信された信号で更なる処理動作を実行し、制御信号を図１の信号装置１００に提供する。第４の処理チャネルは、データ生成ユニット２５０と、パケット形成ユニット２６０と、変調器２７０と、周波数アップコンバータ２８０とを有する。装置３００はまた、アプリケーション処理ユニット２００から信号を受信して図１の基準振動生成ユニット７０のための基準周波数入力を作る基準周波数生成ユニット２９０を有する。基準周波数の生成は、好ましくは衛星から提供された情報（例えばＧＰＳ信号）に基づき、それによってドップラー修正が生成された基準周波数に表れることを可能にする。
【００２５】
動作中に、図３の装置３００は、図１の第１と第２の信号受信機１０と２０から提供された信号を同時に受信して処理する。同時に、装置３００は、図１の信号送信機３０を介して送信のための信号を生成する。前述の通り、全ての前記信号は、ずらして配列された周波数帯域のため、送信媒体上で同時に送信され得る。
【００２６】
図３の第１の処理チャネルに関しては、図１の第１の信号受信機１０から提供された信号は、伝送媒体とＲｘ／Ｔｘコンバイナ１１０を介して第１のチューナー１２０に提供される。第１のチューナー１２０は、受信信号で信号チューニング動作を実行し、チューニングされた出力信号を復調器１３０に提供する。復調器１３０は、第１のチューナー１２０から提供された出力信号を復調し、復調された信号を生成して出力する。例示的な実施例によると、復調器１３０は、二相位相偏移（ＢＰＳＫ）信号、四相位相偏移（ＱＰＳＫ）信号、直交振幅変調（ＱＡＭ）信号等のような、複数の異なる形式を有するデジタル信号を復調することに適している。転送エラー修正ユニット１４０は、復調器１３０から提供された復調された信号でエラー修正動作を実行し、エラー修正された信号を出力する。ネットワーク／伝送処理ユニット１５０は、転送エラー修正ユニット１４０から出力されたエラー修正された信号を受信し、前記信号を信号形式（例えば音声、映像、制御、インターネット等）に応じたビットストリームに解析し、多様なビットストリームの出力を提供する。アプリケーション処理ユニット２００は、ネットワーク／伝送処理ユニット１５０からビットストリームを受信し、信号形式に応じてビットストリームを処理する。アプリケーション処理ユニット２００からの処理された出力は、Ｉ／Ｏ手段に提供されることがある。
【００２７】
図３の第２の処理チャネルに関しては、図１の第１の信号受信機２０から提供された信号は、伝送媒体とＲｘ／Ｔｘコンバイナ１１０を介して第２のチューナー１６０に提供される。第１のチューナー１６０は、受信信号で信号チューニング動作を実行し、チューニングされた出力信号を復調器１７０に提供する。復調器１７０は、第２のチューナー１６０から提供された出力信号を復調し、復調された信号を生成して出力する。例示的な実施例によると、復調器１７０は、二相位相偏移（ＢＰＳＫ）信号、四相位相偏移（ＱＰＳＫ）信号、直交振幅変調（ＱＡＭ）信号等のような、複数の異なる形式を有するデジタル信号を復調することに適している。転送エラー修正ユニット１８０は、復調器１７０から提供された復調された信号でエラー修正動作を実行し、エラー修正された信号を出力する。ネットワーク／伝送処理ユニット１９０は、転送エラー修正ユニット１８０から出力されたエラー修正された信号を受信し、前記信号を信号形式（例えば音声、映像、制御、インターネット等）に応じたビットストリームに解析し、多様なビットストリームの出力を提供する。アプリケーション処理ユニット２００は、ネットワーク／伝送処理ユニット１９０からビットストリームを受信し、信号形式に応じてビットストリームを処理する。アプリケーション処理ユニット２００からの処理された出力は、Ｉ／Ｏ手段に提供されることがある。
【００２８】
図３の第３の処理チャネルに関しては、アプリケーション処理ユニット２００からの処理された信号は、前記信号を信号形式（例えば音声、映像、制御、インターネット等）に応じたビットストリームに解析し、多様なビットストリームの出力を提供するネットワーク／伝送処理ユニット２１０に提供される。パケット形成ユニット２２０は、ネットワーク／伝送処理ユニット２１０から出力されたビットストリームを受信し、受信されたビットストリームをデジタルデータのパケットに組み立てる。変調器２３０は、パケット形成ユニット２００からデジタルデータのパケットを受信し、受信されたデータパケットを変調し、変調された信号を生成して出力する。例示的な実施例によると、変調器２３０は、二相位相偏移（ＢＰＳＫ）信号、四相位相偏移（ＱＰＳＫ）信号、直交振幅変調（ＱＡＭ）信号等のような、複数の異なる形式に信号を変調することに適している。周波数アップコンバータ２４０は、変調器２３０から変調された信号を受信し、そこで周波数アップコンバート動作を実行する。特に、周波数アップコンバータ２４０は、受信信号を図２に示されるアップリンクチャネル帯域内の周波数にアップコンバートする。周波数アップコンバータ２４０から生成された周波数アップコンバートされた信号は、Ｒｘ／Ｔｘコンバイナ１１０に出力され、伝送媒体を介して図１の信号送信機３０に提供される。
【００２９】
図３の第４の処理チャネルに関しては、アプリケーション処理ユニット２００からの処理された信号は、制御データに対応する制御データを生成する制御データ生成ユニット２５０に提供される。パケット形成ユニット２６０は、制御データ生成ユニット２５０によって生成された制御データを受信し、制御データをデジタルデータのパケットに組み立てる。変調器２７０は、パケット形成ユニット２６０からデジタルデータのパケットを受信し、受信されたデータパケットを変調し、変調された制御信号を生成して出力する。例示的な実施例によると、変調器２７０は、二相位相偏移（ＢＰＳＫ）信号、四相位相偏移（ＱＰＳＫ）信号、直交振幅変調（ＱＡＭ）信号等のような、複数の異なる形式に信号を変調することに適している。周波数アップコンバータ２８０は、変調器２７０から変調された信号を受信し、そこで周波数アップコンバート動作を実行する。特に、周波数アップコンバータ２８０は、受信された制御信号を図２に示されるアップリンクチャネル帯域内の周波数にアップコンバートする。周波数アップコンバータ２８０から生成された周波数アップコンバートされた制御信号は、Ｒｘ／Ｔｘコンバイナ１１０に出力され、伝送媒体を介して図１の信号送信機３０に提供される。図１の装置１００と同様に、図３の装置３００はまた、電力供給モジュール９５から電力を受け取る。
【００３０】
好ましい設計を有するものとして本発明が説明されたが、本発明は、この開示の要旨と範囲内で更に変更され得る。従って、この出願は、その一般原則を用いた本発明の何らかの変形、利用又は適用をカバーすることを目的とする。更に、この出願は、本発明が属する技術と特許請求の範囲の制限内にある技術の周知の実行又は慣行にあるような、この開示からの離脱をカバーすることを目的とする。
【図面の簡単な説明】
【００３１】
【図１】本発明の原理に従って構成された装置の実施例をブロック図の形式で示したものである。
【図２】本発明の原理による例示的な周波数スペクトル構成を示したものである。
【図３】本発明の原理に従って構成された装置の実施例をブロック図の形式で示したものである。
【図１】
2005514835.tif 000003
【図２】
2005514835.tif 000004
【図３】
2005514835.tif 000005
【国際調査報告】
2005514835.tif 000006
2005514835.tif 000007
2005514835.tif 000008